(57)【要約】      （修正有）【課題】トンネル天井への長尺スパンにおける配管吊下支持であっても地震時の防震性及び耐震性の高い配管吊下支持具を提供する。【解決手段】取付面から吊り下げられる吊りボルトによる配管の１点吊下支持構成を有する配管吊下支持具と、取付面から斜めに吊下げられる左前方吊下支持杆・左後方吊下支持杆による配管の左方向における斜め２点吊下支持される左サポート支持構成を有する配管吊下支持具と、取付面から斜めに吊下げられる右前方吊下支持杆・右後方吊下支持杆による配管の右方向における斜め２点吊下支持される右サポート支持構成を有する配管吊下支持具と、を有して成り、左サポート支持構成と右サポート支持構成とを間に１点吊下支持構成を挟んだ状態で交互に吊下配設する構成を繰り返して配設して、１点吊下支持構成を挟んで左サポート支持構成・右サポート支持構成が平面視した際に対称の斜め吊下支持構成を有する構成。【選択図】図１
2019044853.tif 000002
【特許請求の範囲】
【請求項１】
配管を抱持するバンド抱持部と、該バンド抱持部の開放両端部に連設されたバンド端部とを有し、天井スラブやトンネル天井等の取付面から吊り下げられる吊りボルトに、タンバックルの如き吊下接続部材を介して前記バンド端部を接続することにより、配管の１点吊下支持構成を有する配管吊下支持具と、
配管を抱持するバンド抱持部と、該バンド抱持部の左側方部から左横方向外側に延伸した状態で設けられた左係止部とを有し、この左係止部には透孔が形成され、この透孔に、前記取付面であって配管軸方向の左前方位置と左後方位置に一端が固定されて斜めに吊下げられる２本の吊りボルトの如き左前方吊下支持杆・左後方吊下支持杆の各々の他端が直接又は間接的に接続取付された状態で係合されることにより、配管の左方向における斜め２点吊下支持が可能な構成の左サポート支持構成を有する配管吊下支持具と、
配管を抱持するバンド抱持部と、該バンド抱持部の右側方部から右横方向外側に延伸した状態で設けられた右係止部とを有し、この右係止部には透孔が形成され、この透孔に、前記取付面であって配管軸方向の右前方位置と右後方位置に一端が固定されて斜めに吊下げられる２本の吊りボルトの如き右前方吊下支持杆・右後方吊下支持杆の各々の他端が直接又は間接的に接続取付された状態で係合されることにより、配管の右方向における斜め２点吊下支持が可能な構成の右サポート支持構成を有する配管吊下支持具と、
を有して成り、
左サポート支持構成を有する配管吊下支持具と、右サポート支持構成を有する配管吊下支持具とを、配管軸方向において、間に１点吊下支持構成を有する配管吊下支持具を挟んだ状態で交互に吊下配設する構成を、配管すべき略全域に亘って繰り返して配設することによって、１点吊下支持構成を挟んで隣接する２種類の斜め２点吊下支持構成である左サポート支持構成・右サポート支持構成を有する配管吊下支持具同士が平面視した際に配管軸方向において対称の斜め吊下支持構成を有する構成であること、
を特徴とする配管吊下支持具。
【請求項２】
前記左係止部・右係止部の各々の透孔に、少なくとも２つの透孔を有する板状部材から成る接続板部材が接続取付された状態であり、
左係止部に接続される接続板部材の２つの透孔に、前記左前方吊下支持杆・左後方吊下支持杆の各々の他端が挿通されてナット螺合された状態であり、
右係止部に接続される接続板部材の２つの透孔に前記右前方吊下支持杆・右後方吊下支持杆の各々の他端が挿通されてナット螺合された状態であること、
と特徴とする請求項１に記載の配管吊下支持具。
【請求項３】
前記左係止部・右係止部の各々の透孔が２つの透孔から成り、
左係止部の２つの透孔の、一方の透孔に前記左前方吊下支持杆の他端が挿通されてナット螺合された状態であると共に、他方の透孔に前記左後方吊下支持杆の他端が挿通されてナット螺合された状態であり、
右係止部の２つの透孔の、一方の透孔に前記右前方吊下支持杆の他端が挿通されてナット螺合された状態であると共に、他方の透孔に前記右後方吊下支持杆の他端が挿通されてナット螺合された状態であること、
を特徴とする請求項１に記載の配管吊下支持具。
【請求項４】
上接続板と下接続板との２枚一組から成る板状部材の各々が両端に透孔を有し、一端の透孔部分において上接続板と下接続板とを前記一端の透孔を連通させた状態で重層すると共に、この重層する一端の透孔を更に前記左係止部の透孔と連通させた状態でボルト・ナットにより螺合接続し、且つ、上接続板・下接続板の他端の透孔に、前記左前方吊下支持杆・左後方吊下支持杆の他端が挿通されてナット螺合接続する構成であり、
上記構成を有する２枚一組の上接続板・下接続板を更に一組用いて、一端の透孔部分において上接続板と下接続板とを前記一端の透孔を連通させた状態で重層すると共に、この重層する一端の透孔を更に前記右係止部の透孔と連通させた状態でボルト・ナットにより螺合接続し、且つ、上接続板・下接続板の他端の透孔に、前記右前方吊下支持杆・右後方吊下支持杆の他端が挿通されてナット螺合接続する構成であること、
を特徴とする請求項１に記載の配管吊下支持具。
【請求項５】
前記上接続板と下接続板が、同形・同大の同一構成であることを特徴とする請求項４に記載の配管吊下支持具。
【請求項６】
前記上接続板と下接続板との重層する一端の透孔に挿通したボルトに、該ボルトの螺旋部分に噛合うことによって該ボルトの透孔からの脱落を防止するボルトの脱落防止具が取り付けられる構成であることを特徴とする請求項５に記載の配管吊下支持具。
【請求項７】
左サポート支持構成を有する配管吊下支持具・右サポート支持構成を有する配管吊下支持具の各々のバンド抱持部が、相対向する半円形状の２つのバンド抱持部が円形に組合うことによって配管を抱持可能であり、該２つのバンド抱持部の各々の一端に左係止部・右係止部が連設された状態で設けられており、且つ該２つのバンド抱持部の各々の他端が組式又は蝶番式の如き接続部により拡開可能に接続された構成であることを特徴とする請求項１〜６のいずれかに記載の配管吊下支持具。
【請求項８】
左サポート支持構成を有する配管吊下支持具・右サポート支持構成を有する配管吊下支持具の各々のバンド抱持具が一本の帯状バンド体を環状に彎曲することによって配管を抱持可能であり、この帯状バンド体の開放両端部に左係止部・右係止部が連設された構成であることを特徴とする請求項１〜６のいずれかに記載の配管吊下支持具。
【発明の詳細な説明】
【技術分野】
【０００１】
本発明は配管吊下支持具に関し、詳しくは天井スラブやトンネル天井等の取付面に、各種配管類を数ｍから数十ｍ以上に及ぶ長尺スパンで吊下支持する配管吊下支持具に関する。
【背景技術】
【０００２】
天井スラブやトンネル天井等の取付面に各種配管類を吊下支持するには、例えば、特許文献１〜３等に示すような、吊りボルトと配管バンドとから成る支持構成を一組とする同構成の吊下支持具、或いは、斜めに垂設した１本又は２本の吊下支持杆を更に付加した支持構成を一組とする同構成の吊下支持具を、数ｍないし数十ｍ間隔で複数個配設することにより行われている。
【０００３】
上記の吊下支持構成は、たとえ数百ｍないし数百ｍ以上に及ぶトンネル内配管等のように超長尺スパンにおける吊下支持であっても、前記したような同構成の配管支持具を多数個用いることにより行われている。
【先行技術文献】
【特許文献】
【０００４】
【特許文献１】特開２００４−１５０４５２号
【特許文献２】実用新案登録第２５２４３４０号
【特許文献３】登録実用新案第３１４８３６１号
【発明の概要】
【発明が解決しようとする課題】
【０００５】
同構成の配管支持具を長尺スパンにおいて複数個ないし多数個用いて吊下支持した場合、地震等の揺れが発生すると、配管軸方向の振動負荷と配管軸直交方向の振動負荷とが同時に生じることに加えて、捻れを含む軸線回り方向に傾動・揺動する負荷・モーメント・応力・歪等をも生じることになり、揺れを収束させることができないことが多いだけでなく、複数個ないし多数個の配管支持具に掛かる負荷・モーメント・応力・歪等が同調して増幅されてしまうこともあり、配管支持具に歪みや破損が生じ易く、耐震強度の点で問題が起き易いことが判った。
【０００６】
そこで本発明の課題は、トンネル天井への長尺スパンにおける配管吊下支持であっても地震時の防震性及び耐震性の高い配管吊下支持具を提供することにある。
尚、本発明において「防震」、「耐震」は「防振」、「耐振」を含むものとする。
【課題を解決するための手段】
【０００７】
上記課題を解決する本発明は下記構成を有する。
【０００８】
１．配管を抱持するバンド抱持部と、該バンド抱持部の開放両端部に連設されたバンド端部とを有し、天井スラブやトンネル天井等の取付面から吊り下げられる吊りボルトに、タンバックルの如き吊下接続部材を介して前記バンド端部を接続することにより、配管の１点吊下支持構成を有する配管吊下支持具と、
配管を抱持するバンド抱持部と、該バンド抱持部の左側方部から左横方向外側に延伸した状態で設けられた左係止部とを有し、この左係止部には透孔が形成され、この透孔に、前記取付面であって配管軸方向の左前方位置と左後方位置に一端が固定されて斜めに吊下げられる２本の吊りボルトの如き左前方吊下支持杆・左後方吊下支持杆の各々の他端が直接又は間接的に接続取付された状態で係合されることにより、配管の左方向における斜め２点吊下支持が可能な構成の左サポート支持構成を有する配管吊下支持具と、
配管を抱持するバンド抱持部と、該バンド抱持部の右側方部から右横方向外側に延伸した状態で設けられた右係止部とを有し、この右係止部には透孔が形成され、この透孔に、前記取付面であって配管軸方向の右前方位置と右後方位置に一端が固定されて斜めに吊下げられる２本の吊りボルトの如き右前方吊下支持杆・右後方吊下支持杆の各々の他端が直接又は間接的に接続取付された状態で係合されることにより、配管の右方向における斜め２点吊下支持が可能な構成の右サポート支持構成を有する配管吊下支持具と、
を有して成り、
左サポート支持構成を有する配管吊下支持具と、右サポート支持構成を有する配管吊下支持具とを、配管軸方向において、間に１点吊下支持構成を有する配管吊下支持具を挟んだ状態で交互に吊下配設する構成を、配管すべき略全域に亘って繰り返して配設することによって、１点吊下支持構成を挟んで隣接する２種類の斜め２点吊下支持構成である左サポート支持構成・右サポート支持構成を有する配管吊下支持具同士が平面視した際に配管軸方向において対称の斜め吊下支持構成を有する構成であること、
を特徴とする配管吊下支持具。
【０００９】
２．前記左係止部・右係止部の各々の透孔に、少なくとも２つの透孔を有する板状部材から成る接続板部材が接続取付された状態であり、
左係止部に接続される接続板部材の２つの透孔に、前記左前方吊下支持杆・左後方吊下支持杆の各々の他端が挿通されてナット螺合された状態であり、
右係止部に接続される接続板部材の２つの透孔に前記右前方吊下支持杆・右後方吊下支持杆の各々の他端が挿通されてナット螺合された状態であること、
と特徴とする上記１に記載の配管吊下支持具。
【００１０】
３．前記左係止部・右係止部の各々の透孔が２つの透孔から成り、
左係止部の２つの透孔の、一方の透孔に前記左前方吊下支持杆の他端が挿通されてナット螺合された状態であると共に、他方の透孔に前記左後方吊下支持杆の他端が挿通されてナット螺合された状態であり、
右係止部の２つの透孔の、一方の透孔に前記右前方吊下支持杆の他端が挿通されてナット螺合された状態であると共に、他方の透孔に前記右後方吊下支持杆の他端が挿通されてナット螺合された状態であること、
を特徴とする上記１に記載の配管吊下支持具。
【００１１】
４．上接続板と下接続板との２枚一組から成る板状部材の各々が両端に透孔を有し、一端の透孔部分において上接続板と下接続板とを前記一端の透孔を連通させた状態で重層すると共に、この重層する一端の透孔を更に前記左係止部の透孔と連通させた状態でボルト・ナットにより螺合接続し、且つ、上接続板・下接続板の他端の透孔に、前記左前方吊下支持杆・左後方吊下支持杆の他端が挿通されてナット螺合接続する構成であり、
上記構成を有する２枚一組の上接続板・下接続板を更に一組用いて、一端の透孔部分において上接続板と下接続板とを前記一端の透孔を連通させた状態で重層すると共に、この重層する一端の透孔を更に前記右係止部の透孔と連通させた状態でボルト・ナットにより螺合接続し、且つ、上接続板・下接続板の他端の透孔に、前記右前方吊下支持杆・右後方吊下支持杆の他端が挿通されてナット螺合接続する構成であること、
を特徴とする上記１に記載の配管吊下支持具。
【００１２】
５．前記上接続板と下接続板が、同形・同大の同一構成であることを特徴とする上記４に記載の配管吊下支持具。
【００１３】
６．前記上接続板と下接続板との重層する一端の透孔に挿通したボルトに、該ボルトの螺旋部分に噛合うことによって該ボルトの透孔からの脱落を防止するボルトの脱落防止具が取り付けられる構成であることを特徴とする上記５に記載の配管吊下支持具。
【００１４】
７．左サポート支持構成を有する配管吊下支持具・右サポート支持構成を有する配管吊下支持具の各々のバンド抱持部が、相対向する半円形状の２つのバンド抱持部が円形に組合うことによって配管を抱持可能であり、該２つのバンド抱持部の各々の一端に左係止部・右係止部が連設された状態で設けられており、且つ該２つのバンド抱持部の各々の他端が組式又は蝶番式の如き接続部により拡開可能に接続された構成であることを特徴とする上記１〜６のいずれかに記載の配管吊下支持具。
【００１５】
８．左サポート支持構成を有する配管吊下支持具・右サポート支持構成を有する配管吊下支持具の各々のバンド抱持具が一本の帯状バンド体を環状に彎曲することによって配管を抱持可能であり、この帯状バンド体の開放両端部に左係止部・右係止部が連設された構成であることを特徴とする上記１〜６のいずれかに記載の配管吊下支持具。
【発明の効果】
【００１６】
請求項１に示す発明によれば、トンネル天井への長尺スパンにおける配管吊下支持であっても地震時の防震性及び耐震性の高い配管吊下支持具を提供することができる。
【００１７】
特に、２種類の斜め２点吊下支持構成（左サポート支持構成・右サポート支持構成）を有する配管吊下支持具を、配管軸方向において、間に１点吊下支持構成を有する配管吊下支持具を挟んだ状態で交互に吊下配設した構成とすることによって、１点吊下支持構成を挟んで隣接する２種類の斜め吊下支持構成を有する配管吊下支持具同士が平面視した際に配管軸方向において対称の斜め２点吊下支持構成となるので、配管軸方向の振動負荷と配管軸直交方向の振動負荷とが同時に生じることに加えて、捻れを含む軸線回り方向に傾動・揺動する負荷・モーメント・応力・歪等をも生じた場合であっても、様々な方向における揺れを対称構成の２種類の斜め２点吊下支持構成が互いに打ち消す作用効果を発揮し、揺れを収束させることができる。従って、長尺スパンにおける配管吊下支持であっても、複数個ないし多数個の配管支持具に掛かる負荷・モーメント・応力・歪等が同調して増幅されてしまうことを抑制することができ、配管支持具に歪みや破損が生じ難いという効果を有している。また、地震時に震源地の違いによって地震波の入射方向が変わっても、様々な振動方向にも対処することができるという、本発明に係る特定の２種類の斜め２点吊下支持構成による相乗効果を有している。
【００１８】
また、吊りボルトと配管支持バンドとによる通常の１点吊下支持構成を有する既存の配管設備に、上記した２種類の斜め２点吊下支持構成を有する配管吊下支持具を付加することによって本発明と同様の斜め２点吊下支持構成を有する配管吊下支持具とすることもできる。この場合、既存の１点吊下支持構成を本発明の１点吊下支持構成と見做すことができる。また、既存の１点吊下支持構成の間に、本発明の全ての構成を付加することもできる。即ち、本発明において、間に配設される１点吊下支持構成を有する配管吊下支持具は、少なくとも１つあればよく、１つあったり、２つ以上あったり、混在していてもよい。
【００１９】
以上の効果によって、配管支持具や吊りボルト等の配管支持構成のみならず、配管そのもの、配管の接続部分・継手部分の歪み・損傷・破損等を著しく抑制することができるので、一箇所の被災が全システムに影響を及ぼす水道管等に代表されるライフラインに特に有用である。
【００２０】
請求項２に示す発明によれば、左係止部に左前方吊下支持杆・左後方吊下支持杆を、右係止部に右前方吊下支持杆・右後方吊下支持杆を、各々接続板部材を介して間接的に係合接続することができるので防振（防震）性を発揮した状態での複数点吊下支持が得られる。
【００２１】
請求項３に示す発明によれば、左係止部に左前方吊下支持杆・左後方吊下支持杆を、右係止部に右前方吊下支持杆・右後方吊下支持杆を、各々直接係合接続することができるので防振（防震）性を発揮した状態での複数点吊下支持が得られる。
【００２２】
請求項４に示す発明によれば、左係止部・右係止部の各々に２枚の板状部材から成る上接続板・下接続板を一端を重合させた状態で接続し、この上接続板・下接続板の他端に各吊下支持杆を係合接続することにより、防振（防震）性を発揮した状態での複数点吊下支持が得られる。しかも、上接続板・下接続板は一端を重合させた際の２枚の重合角度を吊下支持杆の斜め吊下支持の角度に応じて変更することができるので、より安定した状態での複数点吊下支持が得られる。
【００２３】
請求項５に示す発明によれば、上接続板と下接続板とを全く同一構成の板部材を用いる構成なので、この２枚を重層する上下関係に注意を払うことなく、どちらが上でも下でも接続板部材として機能する。更に、その製造に際しては、金型等の製造設備が一種でよいために生産効率が高く、製造コストを下げることができ、一種類の板部材のみが製造されるため在庫管理・発注受注管理・納品管理が容易である。
【００２４】
請求項６に示す発明によれば、上接続板と下接続板との重層部分の透孔に挿通したボルトにクリップ等の脱落防止具を装着することによってナットを外してもボルトが透孔から脱落することを防止できる。従って、取付け作業における作業性が良好であり、ボルト等のパーツ落下や紛失等を抑制することができるので、作業効率が高いだけでなく安全性向上にも寄与する。
【００２５】
請求項７に示す発明によれば、一般的な組式の配管支持バンドをそのまま利用することもできるので容易に且つ低コストで提供することが可能である。
【００２６】
請求項８に示す発明によれば、一般的な提灯式の配管支持バンドをそのまま利用することもできるので容易に且つ低コストで提供することが可能である。
【図面の簡単な説明】
【００２７】
【図１】本発明に係る配管吊下支持具の使用状態の実施例を示す概略側面図（配管軸直交方向の側面から見た図）
【図２】図１の概略平面図（配管軸直交方向である上方から見た図（ＩＩ−ＩＩ線方向平面図））
【図３】図１の左サポート支持構成を有する配管吊下支持具のみの概略正面図（配管軸方向から見た図）
【図４】図１の右サポート支持構成を有する配管吊下支持具のみの概略正面図（配管軸方向から見た図）
【図５】図１の１点吊下支持構成を有する配管吊下支持具のみの概略正面図（配管軸方向から見た図）
【図６】左係止部（右係止部）と左前方吊下支持杆（右前方吊下支持杆）・左後方吊下支持杆（右後方吊下支持杆）の接続構成の一例を示す要部拡大側面図
【図７】左係止部（右係止部）と左前方吊下支持杆（右前方吊下支持杆）・左後方吊下支持杆（右後方吊下支持杆）の接続構成の他の例を示す要部拡大側面図
【図８】右係止部（左係止部）と右前方吊下支持杆（左前方吊下支持杆）・右後方吊下支持杆（左後方吊下支持杆）の接続構成の更に他の例を示す要部概略平面図
【図９】図８の上接続板と下接続板とを重ね合わせた状態を示す側面図
【図１０】図８の上接続板と下接続板とを一端部分において重層した状態を示す底面図
【発明を実施するための形態】
【００２８】
次に、添付の図面に従って本発明を詳細に説明する。
【００２９】
本発明に係る配管吊下支持具は、天井スラブやトンネル天井等の取付面に、給水管、排水管、送風管等の各種配管類を数ｍから数十ｍに及び長尺スパン、或いは数百ｍ以上に及ぶ超長尺スパンで吊下支持するものであり、配管を抱持した配管バンドを取付面から垂設された釣りボルトと取付面から斜めに垂設した吊下支持杆とによって防振（防震）状態で多点吊下支持する支持構成を１組の吊下支持具とし、この吊下支持具を数ｍないし数十ｍ間隔で複数個配設する構成である。
【００３０】
固定支持する種々の配管としては、一般的な鋼管の他、鋼管に代わって近年多く用いられるようになった合成樹脂管（ポリエチレン管、架橋ポリエチレン管、ポリブデン管、塩化ビニル管、プロピレン管、ＡＢＳ管等）の固定支持にも有効である。
【００３１】
本発明の配管吊下支持具１の具体的構成としては、図１〜図５に示すように、
配管Ｐを抱持するバンド抱持部１１と、該バンド抱持部１１の開放両端部に連設されたバンド端部１３・１３とを有し、天井スラブやトンネル天井等の取付面２から吊り下げられる吊りボルト３に、タンバックルの如き吊下接続部材３１を介して前記バンド端部１３・１３を接続することにより、配管Ｐの１点吊下支持構成Ｎを有する配管吊下支持具１と、
配管Ｐを抱持するバンド抱持部１１と、該バンド抱持部１１の左側方部から左横方向外側に延伸した状態で設けられた左係止部１４とを有し、この左係止部１４には透孔が形成され、この透孔に、前記取付面２であって配管軸方向の左前方位置と左後方位置に一端が固定されて斜めに吊下げられる２本の吊りボルトの如き左前方吊下支持杆６・左後方吊下支持杆７の各々の他端が直接又は間接的に接続取付された状態で係合されることにより、配管Ｐの左方向における斜め２点吊下支持が可能な構成の左サポート支持構成Ｌを有する配管吊下支持具１と、
配管Ｐを抱持するバンド抱持部１１と、該バンド抱持部１１の右側方部から右横方向外側に延伸した状態で設けられた右係止部１５とを有し、この右係止部１５には透孔が形成され、この透孔に、前記取付面２であって配管軸方向の右前方位置と右後方位置に一端が固定されて斜めに吊下げられる２本の吊りボルトの如き右前方吊下支持杆８・右後方吊下支持杆９の各々の他端が直接又は間接的に接続取付された状態で係合されることにより、配管Ｐの右方向における斜め２点吊下支持が可能な構成の右サポート支持構成Ｒを有する配管吊下支持具１と、
を有して成り、
左サポート支持構成Ｌを有する配管吊下支持具１と、右サポート支持構成Ｒを有する配管吊下支持具１とを、間に１点吊下支持構成Ｎを有する配管吊下支持具１を挟んだ状態で交互に吊下配設する構成を、配管すべき略全域に亘って繰り返して配設することによって、１点吊下支持構成Ｎを挟んで隣接する２種類の斜め２点吊下支持構成である左サポート支持構成Ｌ・右サポート支持構成Ｒを有する配管吊下支持具１・１同士が平面視した際に配管軸方向において対称の斜め吊下支持構成を有する構成であること、
を主構成とするものである。
【００３２】
尚、左サポート支持構成Ｌを有する配管吊下支持具１の左係止部１４の透孔への左前方吊下支持杆６・左後方吊下支持杆７の各一端の接続取付は、図１〜図３に示す本実施例においてはナット６１・ナット７１の螺合によって行われ、右サポート支持構成Ｒを有する配管吊下支持具１の右係止部１５の透孔への右前方吊下支持杆８・右後方吊下支持杆９の各一端の接続取付は、図１、図２、図４に示す本実施例においてはナット８１・ナット９１の螺合によって行われる。
【００３３】
尚また、符号１６は吊下接続部材３１にバンド端部１３・１３を接続固定するためのボルト・ナットを示し、符号１２は２つのバンド抱持部１１・１１の下端部分を接続する組式又は蝶番式（本実施例では蝶番式）の如き接続部を示す。
【００３４】
以下、本発明の構成について更に詳説する。
【００３５】
本発明の配管吊下支持具１は、この種の配管吊下支持具に用いられる材料として公知公用のものを特別の制限なく用いることができ、好ましくはステンレスやその他の金属製である。
【００３６】
左サポート支持構成Ｌ・右サポート支持構成Ｒの各々の配管吊下支持具１の左係止部１４・右係止部１５は、その形成に際しての基点位置が本実施例ではバンド抱持部１１の左右の側方部の略中央位置であるが、略中央位置より上方位置或いは下方位置であってもよく、この基点の位置を含めて左係止部１４・右係止部１５の延伸角度については、左係止部１４・右係止部１５に螺合係止される左前方吊下支持杆６・左後方吊下支持杆７・右前方吊下支持杆８・右後方吊下支持杆９の吊下げ角度等の諸条件によって適宜設定される。
【００３７】
左係止部１４・右係止部１５の形成構成としては、図１〜図４に示す本実施例では、バンド抱持部１１の開放両端部に連設されたバンド端部１３・１３をそのまま左係止部１４・右係止部１５として利用している。即ち、左サポート支持構成Ｌ・右サポート支持構成Ｒを有する配管吊下支持具１として、公知公用の一般的な構成の配管バンドをそのまま利用している。
【００３８】
１点吊下支持構成Ｎは、図５に示すように、吊りボルト３と、該吊りボルト３にタンバックルの如き吊下接続部材３１を介してバンド端部１３を接続して、バンド抱持部１１に抱持した配管Ｐを取付面２に吊下支持する公知公用の一般的な構成の配管吊下支持具１とを用いた構成を挙げることができる。
【００３９】
以上の構成を有する本発明の配管吊下支持具１は、その使用に際して図１及び図２に示すように、
先ず、図５に示す１点吊下支持構成Ｎを有する配管吊下支持具１を、取付面２に一端が固定される吊りボルト３にタンバックルの如き吊下接続部材３１を介してバンド端部１３をボルト・ナット１６により固定することで前記取付面２に吊下支持し、
次に、図３に示す左サポート支持構成Ｌを有する配管吊下支持具１を、取付面２に一端が固定され、斜め吊下げする公知公用の吊りボルトの如き左前方吊下支持杆６・左後方吊下支持杆７の他端を左係止部１４の透孔に挿通してナット６１・７１によって螺合緊締することによって配管Ｐの左方向における斜め２点吊下支持し、
更に、図４に示す右サポート支持構成Ｒの配管支持具１を、取付面２に一端が固定され、斜め吊下げする公知公用の吊りボルトの如き右前方吊下支持杆８・右後方吊下支持杆９の他端を右係止部１５の透孔に挿通してナット８１・９１によって螺合緊締することによって配管Ｐの右方向における斜め２点吊下支持し、
上記の左サポート支持構成Ｌを有する配管吊下支持具１と、右サポート支持構成Ｒを有する配管吊下支持具１とを、配管軸方向において、間に１点吊下支持構成Ｎを挟んだ状態で交互に繰り返して吊下配設した構成とする。かかる構成によって、１点吊下支持構成Ｎを挟んで隣接する２種類の斜め２点吊下支持構成Ｌ・Ｒを有する配管吊下支持具１・１同士が図２に示すように平面視した際に配管軸方向において対称の斜め２点吊下支持構成を有する構成となる。
【００４０】
以上の構成、即ち、１点吊下支持構成Ｎを間に挟んだ状態で２種類の斜め２点吊下支持構成Ｌ・Ｒを有する配管吊下支持具１・１を配管軸方向において交互に用いて配管Ｐを吊下支持することによって、この２種類（Ｌ・Ｒ）の配管吊下支持具１が、隣接するもの同士で平面視した際に配管軸方向において対称の斜め２点吊下支持構成となるので、配管軸方向の振動負荷と配管軸直交方向の振動負荷とが同時に生じることに加えて、捻れを含む軸線回り方向に傾動・揺動する振動負荷をも生じた場合であっても、様々な方向における揺れを対称構成の２種類のサポート支持構成Ｌ・Ｒが互いに打ち消す作用効果を発揮し、揺れを収束させることができる。従って、長尺スパンや超長尺スパンにおける配管吊下支持であっても、複数個ないし多数個の配管支持具１・１・１・・・に掛かる負荷が同調して増幅されてしまうことを抑制することができ、配管支持具１に歪みや破損が生じ難いという、本発明に係る特定の２種類の斜め２点吊下支持構成による相乗効果を有している。
【００４１】
また、吊りボルト３と配管支持バンド１とによる通常の１点吊下支持構成Ｎ・Ｎ・Ｎ・・・を有する既存の配管設備に、上記した２種類のサポート支持構成Ｌ・Ｒを付加することによって本発明と同様のサポート支持構成を有する配管吊下支持具とすることもできる。
【００４２】
尚、図１〜図３では、左サポート支持構成Ｌの左係止部１４に対する左前方吊下支持杆６・左後方吊下支持杆７の接続と、右サポート支持構成Ｒの右係止部１５に対する第３吊下支持杆８・第４吊下支持杆９の接続とは、いずれも左係止部１４・右係止部１５の接続部分の面に対して斜めに各２本ずつが挿通状態で接続されるため、透孔・透孔は、各々２本の吊りボルト（左前方吊下支持杆６と左後方吊下支持杆７の２本、右前方吊下支持杆８と右後方吊下支持杆９の２本）の端部が挿通可能な直径及び／又は形状に穿かれていることが好ましく、本実施例では、透孔・透孔は長孔に穿かれている。尚、長孔に代えて、２本の吊りボルトの端部が挿通可能な大径の透孔であってもよい。
【００４３】
上記の左係止部１４に対する左前方吊下支持杆６・左後方吊下支持杆７の接続構成、右係止部１５に対する右前方吊下支持杆８・右後方吊下支持杆９の接続構成としては、図６、図７、図８に示す態様を採ることもできる。
【００４４】
図６に示す接続構成は、左係止部１４（右係止部１５）に、複数の透孔が設けられた板状部材から成る接続板部材１０Ａをボルト・ナット１０Ｄにより接続し、この接続板部材１０Ａに設けられた２つの透孔の内の一方の透孔に左前方吊下支持杆６（右前方吊下支持杆８）を挿通してナット６１（ナット８１）により緊締すると共に、他方の透孔に左後方吊下支持杆７（右後方吊下支持杆９）を挿通してナット７１（ナット９１）により緊締する構成である。図６において、（  ）内に示す符号は、右係止部１５の各構成、即ち、右係止部１５、右前方吊下支持杆８、ナット８１、右後方吊下支持杆９、ナット９１を各々示す。尚、左係止部１４に接続した接続板部材１０Ａは同構成のままで右係止部１５に接続可能である。
【００４５】
図７に示す接続構成は、左係止部１４（右係止部１５）の透孔を２つ形成することにより、２つの透孔から成る透孔の一方の透孔に左前方吊下支持杆６（右前方吊下支持杆８）を挿通してナット６１（ナット８１）により緊締すると共に、他方の透孔に左後方吊下支持杆７（右後方吊下支持杆９）を挿通してナット７１（ナット９１）により緊締する構成である。図７において、（  ）内に示す符号は、右係止部１５の各構成、即ち、右係止部１５、右前方吊下支持杆８、ナット８１、右後方吊下支持杆９、ナット９１を各々示す。
【００４６】
図８に示す接続構成は、２つの透孔及び屈曲部を有する同一形状又は近似形状の２枚の板部材である上接続板１０Ｂと下接続板１０Ｃとを、各々の一方の端部を重層した状態で右係止部１５（左係止部１４）にボルト・ナット１０Ｄにより接続し、上接続板１０Ｂの他方の端部に設けられた透孔に右前方吊下支持杆８（左前方吊下支持杆６）を挿通してナット８１（ナット６１）により緊締すると共に、下接続板１０Ｃの他方の透孔に右後方吊下支持杆９（左後方吊下支持杆７）を挿通してナット９１（ナット７１）により緊締する構成である。図８において、（  ）内に示す符号は、左係止部１４の各構成、即ち、左係止部１４、左前方吊下支持杆６、ナット６１、左後方吊下支持杆７、ナット７１を各々示す。図８に示す実施例に用いられる上接続板１０Ｂ・下接続板１０Ｃは、図９の重ね合わせた状態を示す側面図から判るように同形・同大の同一形状となっている。かかる構成によれば、上接続板１０Ｂと下接続板１０Ｃとを重層する際に上下関係に注意を払うことなく、どちらが上でも下でも接続板部材として機能し、更に、その製造に際しては金型等の製造設備が一種でよいために生産効率が高く、製造コストを下げることができ、一種類の板部材のみが製造されるため在庫管理・発注受注管理・納品管理が容易である。
【００４７】
更に、図１０に示すように、上接続板１０Ｂと下接続板１０Ｃの重層部分の透孔に挿通したボルトにクリップ等の脱落防止具１０Ｅを装着することによってナットを外してもボルトが透孔から脱落することを防止できる。従って、取付け作業における作業性が良好であり、ボルト等のパーツ落下や紛失等を抑制することができるので、作業効率が高いだけでなく安全性向上にも寄与する。
【００４８】
尚、本実施例に用いられる上接続板１０Ｂと下接続板１０Ｃとしては、図８〜図１０に示す構成のものの他、例えば、実開昭６４−２５８２１号（吊りボルトの振れ止め金具）等を用いることができる。
【００４９】
また、図１〜図４に示す上記実施例では、バンド抱持部１１の開放両端部に連設されたバンド端部を左係止部１４・右係止部１５とした構成であるが、本発明はかかる構成に限定されず、バンド抱持部１１と同素材であって別体構成である板材をバンド抱持部１１の形成位置に溶接・融着・接着・ネジ留めの如き固着手段により止着した構成とすることもできるし、或いはバンド抱持部の一部を切起すことにより形成した構成とすることもできる。
【００５０】
更に、図１〜図５に示す上記実施例では、配管吊下支持具１の本体が半円状の２本のバンド抱持部１１を下方の蝶番式の接続部１２で接続した構成であるが、この種の配管バンドとして公知公用の構成及び素材を有する種々仕様のものを特別の制限なく用いることができ。例えば、組式構成の接続部を有する配管バンドであってもよいし、１本の環状の帯状板材から形成された提灯式の配管バンドであってもよい。
【符号の説明】
【００５１】
１  配管吊下支持具
１０Ａ  接続板部材
１０Ｂ  上接続板
１０Ｃ  下接続板
１０Ｄ  ボルト・ナット
１０Ｅ  脱落防止具
１１  バンド抱持部
１２  接続部
１３  バンド端部
１４  左係止部
１５  右係止部
１６  ボルト・ナット
２  取付面
３  吊りボルト
３１  吊下接続部材
６  左前方吊下支持杆
６１  ナット
７  左後方吊下支持杆
７１  ナット
８  右前方吊下支持杆
８１  ナット
９  右後方吊下支持杆
９１  ナット
Ｐ  配管
Ｌ  左サポート支持構成
Ｒ  右サポート支持構成
Ｎ  １点吊下支持構成
【図１】
2019044853.tif 000003
【図２】
2019044853.tif 000004
【図３】
2019044853.tif 000005
【図４】
2019044853.tif 000006
【図５】
2019044853.tif 000007
【図６】
2019044853.tif 000008
【図７】
2019044853.tif 000009
【図８】
2019044853.tif 000010
【図９】
2019044853.tif 000011
【図１０】
2019044853.tif 000012
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
配管を抱持するバンド抱持部と、該バンド抱持部の開放両端部に連設されたバンド端部とを有し、天井スラブやトンネル天井等の取付面から吊り下げられる吊りボルトに、タンバックルの如き吊下接続部材を介して前記バンド端部を接続することにより、配管の１点吊下支持構成を有する配管吊下支持具と、
配管を抱持するバンド抱持部と、該バンド抱持部の左側方部から左横方向外側に延伸した状態で設けられた左係止部とを有し、この左係止部には透孔が形成され、この透孔に、前記取付面であって配管軸方向の左前方位置と左後方位置に一端が固定されて斜めに吊下げられる２本の吊りボルトの如き左前方吊下支持杆・左後方吊下支持杆の各々の他端が直接又は間接的に接続取付された状態で係合されることにより、配管の左方向における斜め２点吊下支持が可能な構成の左サポート支持構成を有する配管吊下支持具と、
配管を抱持するバンド抱持部と、該バンド抱持部の右側方部から右横方向外側に延伸した状態で設けられた右係止部とを有し、この右係止部には透孔が形成され、この透孔に、前記取付面であって配管軸方向の右前方位置と右後方位置に一端が固定されて斜めに吊下げられる２本の吊りボルトの如き右前方吊下支持杆・右後方吊下支持杆の各々の他端が直接又は間接的に接続取付された状態で係合されることにより、配管の右方向における斜め２点吊下支持が可能な構成の右サポート支持構成を有する配管吊下支持具と、
を有して成り、
左サポート支持構成を有する配管吊下支持具と、右サポート支持構成を有する配管吊下支持具とを、配管軸方向において、間に１点吊下支持構成を有する配管吊下支持具を挟んだ状態で交互に吊下配設する構成を、配管すべき略全域に亘って繰り返して配設することによって、１点吊下支持構成を挟んで隣接する２種類の斜め２点吊下支持構成である左サポート支持構成・右サポート支持構成を有する配管吊下支持具同士が平面視した際に配管軸方向において対称の斜め吊下支持構成を有する構成であること、
を特徴とする複数の配管吊下支持具を具備する配管の吊下支持構造。
【請求項２】
前記左係止部・右係止部の各々の透孔に、少なくとも２つの透孔を有する板状部材から成る接続板部材が接続取付された状態であり、
左係止部に接続される接続板部材の２つの透孔に、前記左前方吊下支持杆・左後方吊下支持杆の各々の他端が挿通されてナット螺合された状態であり、
右係止部に接続される接続板部材の２つの透孔に前記右前方吊下支持杆・右後方吊下支持杆の各々の他端が挿通されてナット螺合された状態であること、
と特徴とする請求項１に記載の複数の配管吊下支持具を具備する配管の吊下支持構造。
【請求項３】
前記左係止部・右係止部の各々の透孔が２つの透孔から成り、
左係止部の２つの透孔の、一方の透孔に前記左前方吊下支持杆の他端が挿通されてナット螺合された状態であると共に、他方の透孔に前記左後方吊下支持杆の他端が挿通されてナット螺合された状態であり、
右係止部の２つの透孔の、一方の透孔に前記右前方吊下支持杆の他端が挿通されてナット螺合された状態であると共に、他方の透孔に前記右後方吊下支持杆の他端が挿通されてナット螺合された状態であること、
を特徴とする請求項１に記載の複数の配管吊下支持具を具備する配管の吊下支持構造。
【請求項４】
上接続板と下接続板との２枚一組から成る板状部材の各々が両端に透孔を有し、一端の透孔部分において上接続板と下接続板とを前記一端の透孔を連通させた状態で重層すると共に、この重層する一端の透孔を更に前記左係止部の透孔と連通させた状態でボルト・ナットにより螺合接続し、且つ、上接続板・下接続板の他端の透孔に、前記左前方吊下支持杆・左後方吊下支持杆の他端が挿通されてナット螺合接続する構成であり、
上記構成を有する２枚一組の上接続板・下接続板を更に一組用いて、一端の透孔部分において上接続板と下接続板とを前記一端の透孔を連通させた状態で重層すると共に、この重層する一端の透孔を更に前記右係止部の透孔と連通させた状態でボルト・ナットにより螺合接続し、且つ、上接続板・下接続板の他端の透孔に、前記右前方吊下支持杆・右後方吊下支持杆の他端が挿通されてナット螺合接続する構成であること、
を特徴とする請求項１に記載の複数の配管吊下支持具を具備する配管の吊下支持構造。
【請求項５】
前記上接続板と下接続板が、同形・同大の同一構成であることを特徴とする請求項４に記載の複数の配管吊下支持具を具備する配管の吊下支持構造。
【請求項６】
前記上接続板と下接続板との重層する一端の透孔に挿通したボルトに、該ボルトの螺旋部分に噛合うことによって該ボルトの透孔からの脱落を防止するボルトの脱落防止具が取り付けられる構成であることを特徴とする請求項５に記載の複数の配管吊下支持具を具備する配管の吊下支持構造。
【請求項７】
左サポート支持構成を有する配管吊下支持具・右サポート支持構成を有する配管吊下支持具の各々のバンド抱持部が、相対向する半円形状の２つのバンド抱持部が円形に組合うことによって配管を抱持可能であり、該２つのバンド抱持部の各々の一端に左係止部・右係止部が連設された状態で設けられており、且つ該２つのバンド抱持部の各々の他端が組式又は蝶番式の如き接続部により拡開可能に接続された構成であることを特徴とする請求項１〜６のいずれかに記載の複数の配管吊下支持具を具備する配管の吊下支持構造。
【請求項８】
左サポート支持構成を有する配管吊下支持具・右サポート支持構成を有する配管吊下支持具の各々のバンド抱持具が一本の帯状バンド体を環状に彎曲することによって配管を抱持可能であり、この帯状バンド体の開放両端部に左係止部・右係止部が連設された構成であることを特徴とする請求項１〜６のいずれかに記載の複数の配管吊下支持具を具備する配管の吊下支持構造。
【手続補正３】
【補正対象書類名】明細書
【補正対象項目名】０００１
【補正方法】変更
【補正の内容】
【０００１】
本発明は複数の配管吊下支持具を具備する配管の吊下支持構造に関し、詳しくは天井スラブやトンネル天井等の取付面に、各種配管類を数ｍから数十ｍ以上に及ぶ長尺スパンで吊下支持する複数の配管吊下支持具を具備する配管の吊下支持構造に関する。
【手続補正４】
【補正対象書類名】明細書
【補正対象項目名】０００６
【補正方法】変更
【補正の内容】
【０００６】
そこで本発明の課題は、トンネル天井への長尺スパンにおける配管吊下支持であっても地震時の防震性及び耐震性の高い複数の配管吊下支持具を具備する配管の吊下支持構造を提供することにある。
尚、本発明において「防震」、「耐震」は「防振」、「耐振」を含むものとする。
【手続補正５】
【補正対象書類名】明細書
【補正対象項目名】０００８
【補正方法】変更
【補正の内容】
【０００８】
１．配管を抱持するバンド抱持部と、該バンド抱持部の開放両端部に連設されたバンド端部とを有し、天井スラブやトンネル天井等の取付面から吊り下げられる吊りボルトに、タンバックルの如き吊下接続部材を介して前記バンド端部を接続することにより、配管の１点吊下支持構成を有する配管吊下支持具と、
配管を抱持するバンド抱持部と、該バンド抱持部の左側方部から左横方向外側に延伸した状態で設けられた左係止部とを有し、この左係止部には透孔が形成され、この透孔に、前記取付面であって配管軸方向の左前方位置と左後方位置に一端が固定されて斜めに吊下げられる２本の吊りボルトの如き左前方吊下支持杆・左後方吊下支持杆の各々の他端が直接又は間接的に接続取付された状態で係合されることにより、配管の左方向における斜め２点吊下支持が可能な構成の左サポート支持構成を有する配管吊下支持具と、
配管を抱持するバンド抱持部と、該バンド抱持部の右側方部から右横方向外側に延伸した状態で設けられた右係止部とを有し、この右係止部には透孔が形成され、この透孔に、前記取付面であって配管軸方向の右前方位置と右後方位置に一端が固定されて斜めに吊下げられる２本の吊りボルトの如き右前方吊下支持杆・右後方吊下支持杆の各々の他端が直接又は間接的に接続取付された状態で係合されることにより、配管の右方向における斜め２点吊下支持が可能な構成の右サポート支持構成を有する配管吊下支持具と、
を有して成り、
左サポート支持構成を有する配管吊下支持具と、右サポート支持構成を有する配管吊下支持具とを、配管軸方向において、間に１点吊下支持構成を有する配管吊下支持具を挟んだ状態で交互に吊下配設する構成を、配管すべき略全域に亘って繰り返して配設することによって、１点吊下支持構成を挟んで隣接する２種類の斜め２点吊下支持構成である左サポート支持構成・右サポート支持構成を有する配管吊下支持具同士が平面視した際に配管軸方向において対称の斜め吊下支持構成を有する構成であること、
を特徴とする複数の配管吊下支持具を具備する配管の吊下支持構造。
【手続補正６】
【補正対象書類名】明細書
【補正対象項目名】０００９
【補正方法】変更
【補正の内容】
【０００９】
２．前記左係止部・右係止部の各々の透孔に、少なくとも２つの透孔を有する板状部材から成る接続板部材が接続取付された状態であり、
左係止部に接続される接続板部材の２つの透孔に、前記左前方吊下支持杆・左後方吊下支持杆の各々の他端が挿通されてナット螺合された状態であり、
右係止部に接続される接続板部材の２つの透孔に前記右前方吊下支持杆・右後方吊下支持杆の各々の他端が挿通されてナット螺合された状態であること、
と特徴とする上記１に記載の複数の配管吊下支持具を具備する配管の吊下支持構造。
【手続補正７】
【補正対象書類名】明細書
【補正対象項目名】００１０
【補正方法】変更
【補正の内容】
【００１０】
３．前記左係止部・右係止部の各々の透孔が２つの透孔から成り、
左係止部の２つの透孔の、一方の透孔に前記左前方吊下支持杆の他端が挿通されてナット螺合された状態であると共に、他方の透孔に前記左後方吊下支持杆の他端が挿通されてナット螺合された状態であり、
右係止部の２つの透孔の、一方の透孔に前記右前方吊下支持杆の他端が挿通されてナット螺合された状態であると共に、他方の透孔に前記右後方吊下支持杆の他端が挿通されてナット螺合された状態であること、
を特徴とする上記１に記載の複数の配管吊下支持具を具備する配管の吊下支持構造。
【手続補正８】
【補正対象書類名】明細書
【補正対象項目名】００１１
【補正方法】変更
【補正の内容】
【００１１】
４．上接続板と下接続板との２枚一組から成る板状部材の各々が両端に透孔を有し、一端の透孔部分において上接続板と下接続板とを前記一端の透孔を連通させた状態で重層すると共に、この重層する一端の透孔を更に前記左係止部の透孔と連通させた状態でボルト・ナットにより螺合接続し、且つ、上接続板・下接続板の他端の透孔に、前記左前方吊下支持杆・左後方吊下支持杆の他端が挿通されてナット螺合接続する構成であり、
上記構成を有する２枚一組の上接続板・下接続板を更に一組用いて、一端の透孔部分において上接続板と下接続板とを前記一端の透孔を連通させた状態で重層すると共に、この重層する一端の透孔を更に前記右係止部の透孔と連通させた状態でボルト・ナットにより螺合接続し、且つ、上接続板・下接続板の他端の透孔に、前記右前方吊下支持杆・右後方吊下支持杆の他端が挿通されてナット螺合接続する構成であること、
を特徴とする上記１に記載の複数の配管吊下支持具を具備する配管の吊下支持構造。
【手続補正９】
【補正対象書類名】明細書
【補正対象項目名】００１２
【補正方法】変更
【補正の内容】
【００１２】
５．前記上接続板と下接続板が、同形・同大の同一構成であることを特徴とする上記４に記載の複数の配管吊下支持具を具備する配管の吊下支持構造。
【手続補正１０】
【補正対象書類名】明細書
【補正対象項目名】００１３
【補正方法】変更
【補正の内容】
【００１３】
６．前記上接続板と下接続板との重層する一端の透孔に挿通したボルトに、該ボルトの螺旋部分に噛合うことによって該ボルトの透孔からの脱落を防止するボルトの脱落防止具が取り付けられる構成であることを特徴とする上記５に記載の複数の配管吊下支持具を具備する配管の吊下支持構造。
【手続補正１１】
【補正対象書類名】明細書
【補正対象項目名】００１４
【補正方法】変更
【補正の内容】
【００１４】
７．左サポート支持構成を有する配管吊下支持具・右サポート支持構成を有する配管吊下支持具の各々のバンド抱持部が、相対向する半円形状の２つのバンド抱持部が円形に組合うことによって配管を抱持可能であり、該２つのバンド抱持部の各々の一端に左係止部・右係止部が連設された状態で設けられており、且つ該２つのバンド抱持部の各々の他端が組式又は蝶番式の如き接続部により拡開可能に接続された構成であることを特徴とする上記１〜６のいずれかに記載の複数の配管吊下支持具を具備する配管の吊下支持構造。
【手続補正１２】
【補正対象書類名】明細書
【補正対象項目名】００１５
【補正方法】変更
【補正の内容】
【００１５】
８．左サポート支持構成を有する配管吊下支持具・右サポート支持構成を有する配管吊下支持具の各々のバンド抱持具が一本の帯状バンド体を環状に彎曲することによって配管を抱持可能であり、この帯状バンド体の開放両端部に左係止部・右係止部が連設された構成であることを特徴とする上記１〜６のいずれかに記載の複数の配管吊下支持具を具備する配管の吊下支持構造。
【手続補正１３】
【補正対象書類名】明細書
【補正対象項目名】００１６
【補正方法】変更
【補正の内容】
【００１６】
請求項１に示す発明によれば、トンネル天井への長尺スパンにおける配管吊下支持であっても地震時の防震性及び耐震性の高い複数の配管吊下支持具を具備する配管の吊下支持構造を提供することができる。
【手続補正１４】
【補正対象書類名】明細書
【補正対象項目名】００２９
【補正方法】変更
【補正の内容】
【００２９】
本発明に係る複数の配管吊下支持具を具備する配管の吊下支持構造は、天井スラブやトンネル天井等の取付面に、給水管、排水管、送風管等の各種配管類を数ｍから数十ｍに及び長尺スパン、或いは数百ｍ以上に及ぶ超長尺スパンで吊下支持するものであり、配管を抱持した配管バンドを取付面から垂設された釣りボルトと取付面から斜めに垂設した吊下支持杆とによって防振（防震）状態で多点吊下支持する支持構成を１組の吊下支持具とし、この吊下支持具を数ｍないし数十ｍ間隔で複数個配設する構成である。